(57)【要約】      （修正有）【課題】簡便に杖を身体のそばに保持すると共に杖の使用を再開することができる杖ホルダーを提供する。【解決手段】杖ホルダー１は、使用者が身に着けているボトムスの上端部又は該ボトムスの上端部に巻き付けたベルトに着脱可能に取り付けられる基体２と、杖の軸部を保持する杖保持体３と、該杖保持体３と基体２にそれぞれ連結する変形自在の連結条体４を備え、基体２は対向する前側片２ａと後側片２ｂの上端部同士を繋いだ側面視逆Ｕ字状を呈し、杖保持体３は平面視Ｃ字状又は平面視環状を呈する。【選択図】図１
0003213481.tif 000002
【実用新案登録請求の範囲】
【請求項１】
使用者が身に着けているボトムスの上端部又は該ボトムスの上端部に巻き付けたベルトに着脱可能に取り付けられる基体と、杖の軸部を保持する杖保持体と、該杖保持体と上記基体にそれぞれ連結する変形自在の連結条体を備え、上記基体は対向する前側片と後側片の上端部同士を繋いだ側面視逆Ｕ字状を呈し、上記杖保持体は平面視Ｃ字状又は平面視環状を呈することを特徴とする杖ホルダー。
【請求項２】
上記基体の後側片の下端部は同基体の前側片の下端部よりも下位に位置することを特徴とする請求項１記載の杖ホルダー。
【請求項３】
上記基体の前側片又は／及び後側片を下端部に向かって正面視先細り形状とすることを特徴とする請求項１又は請求項２に記載の杖ホルダー。
【請求項４】
上記基体の前側片の下端部に突出部を設け、該突出部に当該前側片の軸直交方向に貫通する連結用孔を設け、該連結孔を介して上記連結条体と上記基体とを連結することを特徴とする請求項１乃至請求項３のいずれかに記載の杖ホルダー。
【請求項５】
上記基体の前側片を下端部に向かって漸次肉厚となるように形成し、該下端部の肉厚内に当該前側片の軸直交方向に貫通する連結用孔を設け、該連結孔を介して上記連結条体と上記基体とを連結することを特徴とする請求項１乃至請求項３のいずれかに記載の杖ホルダー。
【考案の詳細な説明】
【技術分野】
【０００１】
本考案は、高齢者などの足腰が弱った者が使用する歩行補助杖（以下、単に「杖」という。）を、常に身体のそばに保持しておくための杖ホルダーに関する。
【背景技術】
【０００２】
従来、杖の使用者は、椅子などに腰掛けるときや、立っていて両手で作業がしたいときに杖の置き場所に困っている。ただでさえ足腰が弱っているのに杖を地面に置くのは困難であるし、杖を壁などに立て掛けるとしても、その立て掛ける場所がないときや立て掛ける場所が離れているとき、立て掛けてもすぐに倒れてしまうときもある。
【０００３】
そのため、杖を使用者の身体のそばに保持しておくための杖ホルダーが種々開発されている。たとえば、杖自身に杖ホルダーとしてのストラップを設け、該ストラップを手首に掛けて保持するものや、ショルダーバッグのように、肩紐を介して杖を保持する杖ホルダーなどが開発されているが、ストラップを利用した杖ホルダーでは両手を自由に使うことが困難であり、肩紐を利用した杖ホルダーでは大掛かりになってしまうと共に見栄えが悪い。
【０００４】
そこで、下記特許文献１に示すように、パンツ（ズボン）、ショートパンツ、スカートやスパッツなどのボトムス（下衣）の上端部に巻き付けたベルト（腰ベルト）に着脱可能に取り付けることができる杖ホルダーが開発されている。該特許文献１の杖ホルダーは、前壁部２１と後壁部２２を上方連結部２３で連結した側面視逆Ｕ字状を呈した本体２と、該本体２の前壁部２１の左右両端下部に設けた一対のフック体３・４から成る。
【先行技術文献】
【特許文献】
【０００５】
【特許文献１】特開２００４−２９０６４８号公報
【考案の概要】
【考案が解決しようとする課題】
【０００６】
上記特許文献１の杖ホルダーは、ベルトに本体２を着脱可能に取り付けることができ、杖の不使用時には容易に杖の握り柄部分を一対のフック体３・４に吊り掛けることにより杖を保持することができる利点を有するが、杖の握り柄部分をフック体３・４に吊り掛ける作業やフック体３・４から取り上げる作業が煩雑であると共に、それらの作業時に握り柄部分を握り損ねた場合には杖がそのまま倒れてしまう問題点を有している。
【０００７】
また、使用者が椅子などに腰掛けるときには、当然にベルトに取り付けられた本体２及びフック体３・４の位置も下がり、そもそも杖の握り柄部分を吊り掛けることができる高さを確保できない問題点を有している。
【課題を解決するための手段】
【０００８】
本考案は従来の杖ホルダーが抱える問題点を有効に解決し、より簡単に杖を身体のそばに保持すると共に杖の使用を再開することができる杖ホルダーを提供する。
【０００９】
要述すると、本考案に係る杖ホルダーは、使用者が身に着けているボトムスの上端部又は該ボトムスの上端部に巻き付けたベルトに着脱可能に取り付けられる基体と、杖の軸部を保持する杖保持体と、該杖保持体と上記基体にそれぞれ連結する変形自在の連結条体を備え、上記基体は対向する前側片と後側片の上端部同士を繋いだ側面視逆Ｕ字状を呈し、上記杖保持体は平面視Ｃ字状又は平面視環状を呈することにより、簡便にボトムス等と杖とを繋ぐことができ、煩雑な作業を要せずに杖を身体のそばに保持することができると共に杖の使用を再開することができる。加えて椅子などに腰掛けたときにも確実に杖を保持することができる。
【００１０】
好ましくは、上記基体の後側片の下端部は同基体の前側片の下端部よりも下位に位置する構成とし、ボトムス上端部やベルトの内側に差し込むこととなる上記後側片を確実に深く差し込めるようにして上記前側片に加わる引張力に対抗できるようにする。
【００１１】
また、上記基体の前側片又は／及び後側片を下端部に向かって正面視先細り形状とすることにより、上記前側片又は／及び上記後側片を可及的に小さくできる。そのため、上記前側片を先細り形状とする場合には使用者の邪魔になることを防止しつつ見栄えを向上することができると共に、上記後側片を先細り形状とする場合には該後側片のボトムス上端部等の内側への差し込み力を低減することができる。
【００１２】
また、上記基体の前側片の下端部に突出部を設け、該突出部に当該前側片の軸直交方向に貫通する連結用孔を設け、該連結孔を介して上記連結条体と上記基体とを連結する構成とするか、又は上記基体の前側片を下端部に向かって漸次肉厚となるように形成し、該下端部の肉厚内に当該前側片の軸直交方向に貫通する連結用孔を設け、該連結孔を介して上記連結条体と上記基体とを連結する構成とする。何れにしても上記前側片の下端部に上記連結条体を連結することができ、当該前側片の弾性力によって杖を保持する際に加わる引張力を有効に吸収することができる。
【考案の効果】
【００１３】
本考案に係る杖ホルダーによれば、ボトムスの上端部やベルトに容易に着脱することができ、さらに杖の不使用時には座位のときも立位のときも煩雑な作業を要せずに身体のそばに杖を保持することができる。
【００１４】
また、杖の使用を再開するときには、連結条体を手繰り寄せれば簡単に杖を手元に持ってくることができる。さらに、誤って手から杖が離れたときも、同様に簡単に杖を手元に持ってくることができる。
【図面の簡単な説明】
【００１５】
【図１】実施例１に係る杖ホルダーの全体斜視図である。
【図２】実施例１に係る杖ホルダーの基体を示す図であり、（Ａ）は基体の正面図、（Ｂ）は基体の側面図、（Ｃ）は基体の平面図、（Ｄ）は基体の斜視図である。
【図３】実施例１に係る杖ホルダーの杖保持体を示す図であり、（Ａ）は杖保持体の斜視図、（Ｂ）は杖保持体を平面視Ｃ字状のリングで構成した例を示す斜視図、（Ｃ）は杖保持体を開閉可能な平面視環状の筒で構成した例を示す斜視図、（Ｄ）は杖保持体を開閉可能な平面視環状のリングで構成した例を示す斜視図である。
【図４】使用者が杖を手にしているとき（使用しているとき）の杖ホルダーの状態を示す説明図である。
【図５】使用者が杖を手放したとき（使用していないとき又は誤って手から離れたとき）の杖ホルダーの状態を示す説明図である。
【図６】実施例２に係る杖ホルダーの基体を示す図であり、（Ａ）は基体の正面図、（Ｂ）は基体の側面図、（Ｃ）は基体の平面図、（Ｄ）は基体の斜視図である。
【考案を実施するための形態】
【００１６】
以下、本考案を実施するための最良の形態について、図１乃至図６に基づき説明する。
【実施例１】
【００１７】
本考案に係る杖ホルダー１は、図１に示すように、使用者が身に着けているボトムスの上端部又は該ボトムスの上端部に巻き付けたベルトに着脱可能に取り付けられる基体２と、杖の軸部を保持する杖保持体３と、該杖保持体３と上記基体２にそれぞれ連結する変形自在の連結条体４を備える基本構成を有している。
【００１８】
基体２は、合成樹脂製又は金属製であり、図２（Ａ）乃至図２（Ｄ）に示すように、前後方向で対向する前側片２ａと後側片２ｂを有し、この対向する前側片２ａと後側片２ｂの上端部同士を繋いだ側面視逆Ｕ字状を呈しており、後記するように、後側片２ｂを使用者のボトムス上端部又はベルトの内側に差し込みつつ、前側片２ａでボトムス上端部又はベルトの外側を押さえることにより、これらの箇所に着脱可能に取り付けることができる。換言すれば、前側片２ａと後側片２ｂとでボトムス上端部又はベルトを挟持することにより着脱可能に取り付けることができる。
【００１９】
好ましくは、後側片２ｂの下端部は前側片２ａの下端部より下位に位置するように形成、つまり上端部同士を繋いだ前側片２ａと後側片２ｂにおいて後側片２ｂの上下方向の長さを前側片２ａの上下方向の長さよりも長く設定して形成する構成となっている。この構成により、ボトムス上端部等の内側へ差し込む後側片２ｂを可及的に長くし、当該後側片２ｂを確実に深く差し込めるようにして前側片２ａに加わる引張力に対抗できるようにすると共に、露出する前側片２ａを可及的に短くすることにより使用者の邪魔になるのを防止する。
【００２０】
また、前側片２ａの下端部には外方（前方）に向けて突出する突出部２ｃを設け、該突出部２ｃに当該前側片２ａの軸直交方向に貫通する連結用孔２ｄを設け、該連結用孔２ｄを介して連結条体４と基体２とを連結する構成となっている。このように、前側片２ａの下端部に連結条体４を連結することができ、当該前側片２ａの弾性力によって杖を保持する際に加わる引張力を有効に吸収することができる。
【００２１】
なお、連結条体４と基体２を連結するには、図２に示すように、連結用孔２ｄにダブルリング５やナス鐶６などの既知の合成樹脂製又は金属製の鐶材を取り付けて連結することができる他、直接、連結条体４を連結用孔２ｄに通して連結しても良い。
【００２２】
次に、杖保持体３は、合成樹脂製又は金属製であり、図３（Ａ）に示すように、杖の軸部を抱持する平面視Ｃ字状の筒体から成る抱持部３ａと、該抱持部３ａの外周部に設けた連結部３ｂを有し、該連結部３ｄには連結用孔３ｃが設けられている。なお、本考案においては、当該杖保持体３は杖の軸部を抱持して杖を保持することができれば、図３（Ｂ）に示す平面視Ｃ字状のリングや、図３（Ｃ）に示す開閉可能な平面視環状の筒体（円筒体）、図３（Ｄ）に示す開閉可能な平面視環状のリングで構成することも実施に応じ任意である。
【００２３】
筒保持体３と連結条体４との連結においても、筒保持体３の連結部３ｂに設けた連結用孔３ｃにダブルリング５等の既知の合成樹脂製又は金属製の鐶材を取り付けて連結することができる他、直接、連結条体４を連結用孔３ｃに通して連結しても良い。
【００２４】
最後に、連結条体４は既述した基体２と杖保持体３にそれぞれ連結する変形自在の条体であり、杖をぶら下げることができる強度を有していれば、ストラップ等に用いられる紐材や、合成樹脂製又は金属製のチェーン材などの既知の条材を用いることができる。好ましくは、１５〜２０ｃｍに設定し、杖を保持する状態と杖の使用を再開する状態を自由に切り替えることができるようにする。
【００２５】
而して、上記説明した本考案に係る杖ホルダー１は、使用者のボトムス上端部を基体２の前側片２ａと後側片２ｂで挾持することにより、基体２をボトムス上端部に取り付け、又は図４に示すようにボトムス１０の上端部に巻いたベルト１１を基体２の前側片２ａと後側片２ｂで挾持することにより、基体２をベルト１１に取り付ける一方、杖１２の軸部を杖保持体３の抱持部３ａで抱持すれば、容易にボトムス１０やベルト１１と杖１２とを繋ぐことができ、使用者はそのまま杖１２を使用することができる。
【００２６】
また、使用者が自ら若しくは誤って杖１２の握り柄部分を離したときには、図５に示すように、連結条体４が緊張状態となり、杖１２を適切にぶら下げることができる。したがって、煩雑な作業を要せずに杖１２を身体のそばに保持することができると共に、該緊張状態の連結条体４を手繰り寄せれば、簡単に杖１２の使用を再開することができる。加えて、具体的には図示しないが、使用者が椅子などに腰掛けたときにも杖の握り柄部分を手放せば、連結条体４の長さの範囲で自動的に杖をぶら下げて保持することができる。
【実施例２】
【００２７】
実施例２に係る杖ホルダーは、既述した実施例１に係る杖ホルダーと同様の基本構成を有するが、図６（Ａ）乃至図６（Ｄ）に示すように、基体２の構成のみが実施例１と異なる。
【００２８】
詳述すると、実施例２の杖ホルダーにおける基体２は、合成樹脂製又は金属製であり、前側片２ａの下端部及び後側片２ｂの下端部の双方を下端部に向かって正面視先細り形状とすることにより、前側片２ａ及び後側片２ｂを可及的に小さくできる。よって前側片２ａが使用者の邪魔になることを防止し且つ見栄えを向上することができると共に、後側片２ｂのボトムス上端部等の内側への差し込み力を低減することができる。なお、本考案においては、前側片２ａ及び後側片２ｂの一方のみを正面視先細り形状とすることも包含する。
【００２９】
また、図６（Ｂ）・図６（Ｄ）に示すように、前側片２ａを下端部に向かって漸次肉厚となるように形成し、該下端部の肉厚内に当該前側片２ａの軸直交方向に貫通する連結用孔２ｄを設け、該連結孔２ｄを介して連結条体４と基体２とを連結する構成とする。これにより前側片２ｂの下端部に連結条体４を連結することができ、当該前側片２ｂの弾性力によって杖を保持する際に加わる引張力を有効に吸収することができると共に、強度を保ちながら前述の正面視先細り形状との両立を図ることができる。
【００３０】
杖保持体３及び連結条体４の構成、基体２と連結条体４との連結構成並びに杖保持体３と連結条体４との連結構成については、実施例１と同様であるので、実施例１における説明を援用する。
【００３１】
実施例２に係る杖ホルダーは、上記した基体２の構成により、前側片２ａと後側２ｂの双方又は一方を可及的に小さくできるので、使用者が女性など小柄な場合に特に有効である。
【符号の説明】
【００３２】
１…杖ホルダー、２…基体、２ａ…前側片、２ｂ…後側片、２ｃ…突出部、２ｄ…連結用孔、２ｅ…肉厚部、３…杖保持体、３ａ…抱持部、３ｂ…連結部、３ｃ…連結用孔、
４…連結条体、５…ダブルリング、６…ナス鐶、１０…ボトムス、１１…ベルト、１２…杖。
【図１】
0003213481.tif 000003
【図２】
0003213481.tif 000004
【図３】
0003213481.tif 000005
【図４】
0003213481.tif 000006
【図５】
0003213481.tif 000007
【図６】
0003213481.tif 000008